【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
血管または中空の体内器官用の人工器官アセンブリであって、
頭側部分と尾側部分とを有し、かつ人工器官材料を含む本体部品であって、前記人工器官材料は、内部を有し、かつ本体管腔を備える、本体部品と、
本体管腔尾側ステントと、
内部を有する人工器官材料と、少なくとも１つの管腔延長部ステントとを有する管腔延長部であって、前記管腔延長部は、前記本体管腔内で伸縮自在に装着され、かつ前記本体管腔の長さを増加させるようなサイズおよび構成である、管腔延長部と
を備え、
前記本体管腔尾側ステントおよび前記管腔延長部ステントのうちの少なくとも１つは、前記ステントから離れて延出する湾曲部を有する少なくとも一部分を含み、前記少なくとも１つの湾曲部分は、前記本体管腔尾側ステントおよび前記管腔延長部ステントのうちの前記少なくとも１つの他方を係合することによって、前記管腔延長部の前記本体部品に対する長手方向の移動を防止する、
人工器官アセンブリ。
【請求項２】
前記湾曲部分は、前記本体管腔尾側ステントおよび前記管腔延長部ステントのうちの前記少なくとも１つの頂部である、請求項１に記載の装置。
【請求項３】
前記本体管腔尾側ステントは、前記本体管腔尾側ステントから離れて延出する湾曲部を有する少なくとも一部分を含み、前記管腔延長部ステントは、前記管腔延長部ステントから延出する湾曲部を有する少なくとも一部分を含み、前記本体管腔尾側ステントの前記少なくとも１つの湾曲部分は、前記管腔延長部ステントの前記少なくとも１つの湾曲部分を係合することによって、前記管腔延長部の前記本体部品に対する長手方向の移動を防止する、請求項１に記載の装置。
【請求項４】
前記本体部品は、前記人工器官材料の対向する表面を共に接合する継ぎ目をさらに含み、前記内部の少なくとも一部分を延出する内部隔膜を形成して多管腔流路を形成し、前記多管腔流路は、少なくとも第１の本体管腔および第２の本体管腔を備え、前記第１の本体管腔および前記第２の本体管腔は、前記内部隔膜の一部を共有する、請求項１に記載の装置。
【請求項５】
第２の本体管腔尾側ステントと、
内部を有する人工器官材料と、少なくとも１つの第２の管腔延長部ステントとを含む第２の管腔延長部であって、前記第２の本体管腔内で伸縮自在に装着され、かつ前記第１の本体管腔の長さを増加させるようなサイズおよび構成である第２の管腔延長部と
をさらに含む、請求項４に記載の装置。
【請求項６】
血管または中空の体内器官用の人工器官アセンブリであって、
頭側部分および尾側部分を有し、かつ人工器官材料を含む本体部品であって、前記人工器官材料は、内部を有し、かつ前記人工器官材料の対向する表面を共に接合する継ぎ目を含み、前記内部の少なくとも一部分を延出する内部隔膜を形成して多管腔流路を形成し、前記多管腔流路は、少なくとも第１の本体管腔および第２の本体管腔を備え、前記第１の本体管腔は、前記第２の本体管腔を超えて延出し、前記第１の本体管腔および前記第２の本体管腔は、前記内部隔膜の一部を共有する、本体部品と、
前記第１の本体管腔の前記ステントは、前記第２の本体管腔の前記ステントに重なったり、整列したりしないように、互いに交互の位置にある第１の本体管腔尾側ステントおよび第２の本体管腔尾側ステントと、
人工器官材料と、少なくとも１つの第１の管腔延長部ステントとを含む第１の管腔延長部であって、前記第１の本体管腔内に伸縮自在に装着され、かつ前記第１の本体管腔の長さを増加させるようなサイズおよび構成である第１の管腔延長部と、
人工器官材料と、少なくとも１つの第２の管腔延長部ステントとを含む第２の管腔延長部であって、前記第２の本体管腔内に伸縮自在に装着され、かつ前記第２の本体管腔の長さを増加させるようなサイズおよび構成である第２の管腔延長部と、
前記第１の管腔延長部を前記第１の本体管腔に、および前記第２の管腔延長部を前記第２の本体管腔に連結するための手段であって、前記第１および第２の管腔延長部の前記本体部品に対する長手方向の移動を防止する、手段と
を備える、人工器官アセンブリ。
【請求項７】
前記第１の本体管腔は、前記隔膜によって前記第２の本体管腔に接合される領域と、前記隔膜によって前記第２の本体管腔に接合されず、前記第２の本体管腔を超えて延出する別の領域とを含む、請求項６に記載の人工器官アセンブリ。
【請求項８】
前記内部隔膜は、前記隔膜の頭側端で縫合し、前記隔膜の尾側端で縫合し、前記隔膜の前記頭側端における前記縫合と、前記隔膜の尾側端における前記縫合との間の前記隔膜の少なくとも一部を織ることによって形成される、請求項６に記載の人工器官アセンブリ。
【請求項９】
前記第１の管腔延長部を前記第１の本体管腔に、および前記第２の管腔延長部を前記第２の本体管腔に連結するための前記手段は、前記第１の本体管腔尾側ステントに位置する少なくとも１つの内側に湾曲する頭側頂部と、前記第２の本体管腔尾側ステントに位置する少なくとも１つの内側に湾曲する頭側頂部とを備え、各内側に湾曲する頂部は、関連する第１の管腔延長部ステントおよび第２の管腔延長部ステントを係合する、請求項６に記載の人工器官アセンブリ。
【請求項１０】
前記第１の管腔延長部を前記第１の本体管腔に、および前記第２の管腔延長部を前記第２の本体管腔に連結するための前記手段は、前記第１の管腔延長部ステントに位置する少なくとも１つの外側に湾曲する尾側頂部と、前記第２の管腔延長部ステントに位置する少なくとも１つの外側に湾曲する尾側頂部とを備え、各外側に湾曲する頂部は、関連する第１の本体管腔尾側ステントおよび前記第２の本体管腔尾側ステントを係合する、請求項６に記載の人工器官アセンブリ。
【請求項１１】
前記本体部品の領域は、前記本体部品を体内組織に固定するための少なくとも１つの締結要素を受容するようなサイズおよび構成である、請求項６に記載の人工器官アセンブリ。
【請求項１２】
前記少なくとも１つの第１の管腔延長部ステントは、自己拡張型ステントを含み、前記第２の管腔延長部ステントは、自己拡張型ステントを含む、請求項６に記載の人工器官アセンブリ。
【請求項１３】
前記少なくとも１つの第１の管腔延長部ステントは、離間したステントを含み、前記第２の管腔延長部ステントは、離間したステントを含む、請求項６に記載の人工器官アセンブリ。
【請求項１４】
前記本体部品は、軸に沿って延出し、前記内部隔膜は、前記本体部品の前記軸に沿って形成される継ぎ目を備える、請求項６に記載の人工器官アセンブリ。
【請求項１５】
前記本体部品は、前記本体部品に連結される少なくとも１つの輪状縫合糸を含み、前記輪状縫合糸は、標的部位に送達中に、前記本体部品を拘束するようなサイズおよび構成である、請求項６に記載の人工器官アセンブリ。
【請求項１６】
前記本体部品は、前記頭側部分においてまたはその付近で前記本体部品に連結される少なくとも１つの輪状縫合糸と、前記尾側部分においてまたはその付近で前記本体部品に連結される少なくとも１つの輪状縫合糸とを含み、前記輪状縫合糸は、標的部位に送達中に、前記本体部品を拘束するようなサイズおよび構成である、請求項６に記載の人工器官アセンブリ。
【請求項１７】
前記第１の管腔延長部は、前記第１の管腔延長部に連結される少なくとも１つの第１の管腔延長部の輪状縫合糸を含み、
前記第２の管腔延長部は、前記第２の管腔延長部に連結される少なくとも１つの第２の管腔延長部の輪状縫合糸を含み、
前記第１の管腔延長部の輪状縫合糸は、標的部位に送達中に、前記第１の管腔延長部を拘束するようなサイズおよび構成であり、前記第２の管腔延長部の輪状縫合糸は、前記標的部位に送達中に、前記第２の管腔延長部を拘束するようなサイズおよび構成である、請求項６に記載の人工器官アセンブリ。
【請求項１８】
前記隔膜は、長さが５ｍｍを超えるようなサイズである、請求項６に記載の人工器官アセンブリ。
【請求項１９】
前記隔膜は、長さが１０ｍｍを超えるようなサイズである、請求項６に記載の人工器官アセンブリ。
【請求項２０】
前記本体の前記頭側部分においてまたはその付近で、前記人工器官材料と連結される少なくとも１つの本体ステントをさらに含む、請求項６に記載の人工器官アセンブリ。
【請求項２１】
前記少なくとも１つの本体ステントは、自己拡張型ステントを含む、請求項２０に記載の人工器官アセンブリ。
【請求項２２】
前記少なくとも１つの本体ステントは、バルーン拡張型ステントを含む、請求項２０に記載の人工器官アセンブリ。
【請求項２３】
前記少なくとも１つの本体ステントは、離間したステント構造を含む、請求項２０に記載の人工器官アセンブリ。
【請求項２４】
前記少なくとも１つの本体ステントは、離間したステントを含む、請求項２０に記載の人工器官アセンブリ。
【請求項２５】
人工器官を配置するためのシステムであって、
請求項１に記載の人工器官アセンブリであって、血管または中空の体内器官を含む標的部位に導入される、人工器官アセンブリを備え、
前記人工器官アセンブリの前記本体部品は、前記標的部位の体内組織に位置付けられ、
前記人工器官アセンブリの前記第１の管腔延長部は、前記本体部品の前記第１の本体管腔に伸縮自在に装着され、
前記人工器官アセンブリの前記第２の管腔延長部は、前記本体部品の前記第２の本体管腔に伸縮自在に装着される、システム。
【請求項２６】
少なくとも１つの本体の輪状縫合糸が解放され、前記本体部品が前記標的部位で拡張可能になる、請求項２５に記載のシステム。
【請求項２７】
前記人工器官アセンブリの前記第１の管腔延長部が前記本体部品の前記第１の本体管腔に伸縮自在に装着された後、少なくとも１つの第１の管腔延長部の輪状縫合糸が解放され、
前記人工器官アセンブリの前記第２の管腔延長部が前記本体部品の前記第２の本体管腔に伸縮自在に装着された後、少なくとも１つの第２の管腔延長部の輪状縫合糸が解放される、請求項２５に記載のシステム。
【請求項２８】
前記人工器官アセンブリを前記標的部位における体内組織に締結する手段をさらに含む、請求項２７に記載のシステム。
【請求項２９】
前記締結する手段は、前記人工器官アセンブリを、前記標的部位における体内組織に締結するための螺旋状締結具を含む、請求項２８に記載のシステム。